(57)【要約】【課題】袖扉を備えた防火シャッターにおいて、シャッターカーテンの下端面と床面との間に隙間が形成されることがなく、また、袖扉の閉鎖障害を発生するおそれのないロック機構を設ける。【解決手段】シャッターカーテン１と、ガイド溝８を戸先側端部に備えた袖扉２とで、建物内部の開口部を閉鎖する。シャッターカーテン１の幅方向の一側の端部の下端部位には、係止ロッ１５ドが上下動自在に設けてあり、係止ロッド１５は、通常時には、シャッターカーテン１の下端面から下方に突出した突出姿勢にあると共に、係止ロッド１５の下端に上方に向かう力が作用すると上動してシャッターカーテン１の下端面から突出しない退避姿勢となる。床面には、閉鎖姿勢にある袖扉２の戸先側のガイド溝８の下方に位置して、シャッターカーテン１の下端面が着床した時に、係止ロッド１５が係止する受孔１７が形成されている。【選択図】図５
2010048063.tif 000002
【特許請求の範囲】
【請求項１】
シャッターカーテンと、シャッターカーテンの幅方向の一側の端部を受け入れるガイド溝を戸先側端部に備えた袖扉とで、建物内部の開口部を閉鎖する防火シャッター装置において、
前記袖扉は、火災検知信号に基づいて前記開口部の側壁に沿った収納姿勢から前記開口部の幅方向に延出する閉鎖姿勢へ回動するように構成されており、
前記シャッターカーテンの幅方向の一側の端部の下端部位には、係止ロッドが上下動自在に設けてあり、
前記係止ロッドは、通常時には、シャッターカーテン下端面から下方に突出した突出姿勢にあると共に、当該係止ロッドの下端に上方に向かう力が作用するとシャッターカーテン下端面に対して相対的に上動してシャッターカーテン下端面から突出しない退避姿勢となるように構成されており、
床面には、閉鎖姿勢にある袖扉の戸先側のガイド溝の下方に位置して、前記シャッターカーテンの下端面が着床した時に、前記係止ロッドが係止する受孔が形成されている、
袖扉付き防火シャッター装置。
【請求項２】
前記受孔は、床面上の係止ロッドの降下位置をシャッターカーテンを横切る方向から挟むように対向状に設けた２つの受孔である、請求項１に記載の袖扉付き防火シャッター装置。
【発明の詳細な説明】
【技術分野】
【０００１】
本発明は、シャッターカーテンと、シャッターカーテンの幅方向の一側の端部を受け入れるガイド溝を戸先側端部に備えた袖扉とで、建物内部の所定部位を閉鎖する防火シャッター装置に関するものである。
【背景技術】
【０００２】
シャッターカーテンと、戸先側端部にガイド溝を備えた袖扉とで、防火区画部位を閉鎖する防火シャッターが知られている。このような袖扉連動防火シャッターは、袖扉の戸先側にガイド溝を形成することで、シャッターカーテンと袖扉間の固定柱を無くすことができるという利点がある。特許文献１には、類似の構成を備えた避難扉連動シャッターが開示されている。
【０００３】
しかしながら、閉鎖姿勢にあるシャッターカーテン及び袖扉に、排煙機等により過大な圧力がかかると、シャッターカーテンと袖扉とで区画形成した防火区画に隙間が生じたり、シャッターカーテンの幅方向の端部がガイド溝から外れてしまう等のおそれがある。
【０００４】
特許文献２には、袖扉の戸先側のガイド溝の下部にバネを組み込んだ係止ロッドを設け、通常時はバネにより係止ロッド下端が袖扉下端よりも突出しないようにし、シャッターカーテンが降下した時に、シャッターカーテンの自重を用いてシャッターカーテン下端部位で係止ロッドを押し下げて床面の受孔にロックさせる機構が開示されている。
【０００５】
しかしながら、このロック機構によると、図１０に示すように、床面の受孔１７´と係止ロッド１５´が万が一ずれるとシャッターカーテン下端部位が係止ロッド１５´の上端に載ってしまい、座板１３´と床面ＦＬとの間に防火・防煙上不利な隙間Ｓが形成されて、防火区画が形成されないおそれがある。また、万が一、ロック機構のバネに不具合があった場合には、係止ロッド１５´は通常時からその自重で袖扉２´の下端より下方に突出して床面に接してしまって、袖扉の閉鎖障害等の不具合を招くおそれもある。
【特許文献１】実開昭４８−８０５５号
【特許文献２】特開２００６−２００３４３号
【発明の開示】
【発明が解決しようとする課題】
【０００６】
本発明は、袖扉を備えた防火シャッター装置において、全閉状態においてシャッターカーテンの下端面と床面との間に隙間が形成されることがなく、また、袖扉の閉鎖障害を発生するおそれのないロック機構を設けることを目的とするものである。
【課題を解決するための手段】
【０００７】
本発明が採用した技術手段は、
シャッターカーテンと、シャッターカーテンの幅方向の一側の端部を受け入れるガイド溝を戸先側端部に備えた袖扉とで、建物内部の開口部を閉鎖する防火シャッター装置において、
前記袖扉は、火災検知信号に基づいて前記開口部の側壁に沿った収納姿勢から前記開口部の幅方向に延出する閉鎖姿勢へ回動するように構成されており、
前記シャッターカーテンの幅方向の一側の端部の下端部位には、係止ロッドが上下動自在に設けてあり、
前記係止ロッドは、通常時には、シャッターカーテン下端面から下方に突出した突出姿勢にあると共に、当該係止ロッドの下端に上方に向かう力が作用するとシャッターカーテン下端面に対して相対的に上動してシャッターカーテン下端面から突出しない退避姿勢となるように構成されており、
床面には、閉鎖姿勢にある袖扉の戸先側のガイド溝の下方に位置して、前記シャッターカーテンの下端面が着床した時に、前記係止ロッドが係止する受孔が形成されている、防火シャッター装置、
である。
【０００８】
一つの態様では、前記受孔は、床面上の係止ロッドの降下位置をシャッターカーテンを横切る方向から挟むように対向状に設けた２つの受孔である。
【発明の効果】
【０００９】
本発明では、全閉状態において、係止ロッドが受孔に係止することでロック状態となるが、シャッターカーテンが降下した時に、万が一、床面の受孔と係止ロッドがずれても、係止ロッドはシャッターカーテンの下端面から上方に引っ込んで退避するので、座板と床面との間に隙間が形成されることがなく、防火区画が良好に形成される。
【００１０】
本発明は、シャッターカーテンに設けた係止ロッドを用いたロック機構に係り、袖扉の下端にはいかなるロック機構も設けていないので、ロック機構の不具合で袖扉の下端から係止ロッドが突出することによる袖扉の閉鎖障害が発生することがない。
【００１１】
本発明において、対向状の２つの受孔を設けたものでは、シャッターカーテンの下端面が着床して防火区画を形成した後にシャッターカーテンに圧力が作用した時点で係止ロッドがいずれかの受孔に係止してロックすることができるため、ロック機構の信頼性を向上させることができる。
【発明を実施するための最良の形態】
【００１２】
本発明の実施形態を図面に基づいて詳細に説明する。袖扉付き防火シャッター装置は、建物内の空間の所定の防火区画部位に設置されており、火災時に、シャッターカーテン１と袖扉２とで建物内空間を閉鎖して建物内を区画するように構成されている。袖扉２には、避難用の子扉３が袖扉２に対して開閉可能に装着されている。本明細書において、「開口部」には、シャッターカーテン１と袖扉２によって閉鎖される建物内空間が含まれる。
【００１３】
図１は、全閉状態にある袖扉付き防火シャッター装置を示す概略正面図であって、左右の側壁４、５と天井ＣＬと床面ＦＬとで形成される開口部の幅方向の一部がシャッターカーテン１によって、残りの部分が袖扉２によって、それぞれ閉鎖される。図示の例では、袖扉２が収納される側壁５は、袖扉付き防火シャッターによって閉鎖される開口部の幅方向に対して略９０度で延出しているが、側壁５は開口部の幅方向に対して９０度で延出するものに限定されるものではなく、９０度よりも大きい角度、例えば、略１８０度で延出するものでもよい。この場合、袖扉２は、収納姿勢から約１８０度回動することで閉鎖姿勢となる。また、図示の例では、シャッターカーテン１の片側に位置して袖扉２を備えているが、シャッターカーテン１の両側に位置して２つの袖扉を備えたものでもよい。
【００１４】
図２（Ｂ）に示すように、開口部の幅方向の所定部位の上方の天井ＣＬ内に位置してシャッターケース６が設けてあり、シャッターケース６内には巻取シャフト７が開口幅方向に延出しており、巻取シャフト７の両端は、シャッターケース６の左右に設けたブラケット６ａに回転可能に支持されている。シャッターカーテン１の上端は巻取シャフト７に連結されており、通常時には、シャッターカーテン１は巻取シャフト７に巻装された状態でシャッターケース６内に収納されている。
【００１５】
通常時には、開閉機（図示せず）の出力軸の回転をブレーキによって規制することで、開閉機の出力軸に連結されている巻取シャフト７の回転が規制されている。煙感知や熱感知による火災検知信号が自動閉鎖装置に送信されると、自動閉鎖装置が開閉機のブレーキを解除し、巻取シャフト７の回転規制が解除されて、シャッターカーテン１は調速手段によって調速されながら自重で降下して開口部を閉鎖する。
【００１６】
開口部全閉状態において、シャッターカーテン１の幅方向の一側の端部は、袖扉２の戸先側に形成されたガイド溝８内に受け入れられる。シャッターカーテン１の幅方向の他側の端部は、側壁４に形成されたガイド溝９内に受け入れられる。
【００１７】
袖扉２は、正面視長方形状で所定の厚みを有する部材であり、対向する面部２０、２１と、上端面２２、下端面２３、戸先側端面２４（ガイド溝８が形成されている）、戸尻側端面２５と、を備えている。図３に示すように、袖扉２は、側壁５に対して平行に延びる収納姿勢と、側壁５に対して垂直に延びる姿勢、すなわち、開口部の幅方向に延びる閉鎖姿勢、との間で回動可能となっている。
【００１８】
袖扉２は、通常時には、側壁５に対して平行する収納姿勢で、側壁５に沿って収納されている。好ましい態様では、側壁５には凹部状の収納部５０が形成されており、通常時には、袖扉２は、側壁５に形成された収納部５０内に、袖扉２の一方の面部２０が側壁５と面一となるように収納されている。収納部５０は、収納姿勢における袖扉２の戸尻側に位置する戸尻側縦枠５０Ａと同袖扉２の戸先側に位置する戸先側縦枠５０Ｂとの間の空間として形成されている。
【００１９】
袖扉２の戸尻側には、袖扉２を収納姿勢から閉鎖姿勢への回動させる自動閉鎖装置としてのオートヒンジ（回動支点Ｐのみ示し、オートヒンジ自体は図示せず）が設けてあり、袖扉２が自由な状態では、オートヒンジの付勢力によって、袖扉２は、側壁５に平行な収納姿勢から、側壁５に対して垂直な姿勢、すなわち、開口部の幅方向に延出する閉鎖姿勢へ向かって自動的に回動する。袖扉２を収納姿勢から閉鎖姿勢への回動させる自動閉鎖装置としてはオートヒンジ以外の他の手段が採用され得ることは当業者に理解される。
【００２０】
通常時には、袖扉２は、凹部５０内に設けた電磁レリーズ（図示せず）によって、凹部５０内に収まった状態、すなわち、側壁５に平行な収納姿勢で回動規制されており、収納姿勢が保持されている。電磁レリーズは、火災検知信号を受けると解除されるようになっており、電磁レリーズの解除後は、オートヒンジの付勢力で袖扉２が自動的に閉鎖方向に回動する。このような電磁レリーズは、当業者によく知られている。また、袖扉２を収納姿勢で保持する手段は、電磁的な保持手段（典型的には、電磁レリーズが例示される）に限定されるものではなく、他の手段が採用され得ることは当業者に理解される。
【００２１】
火災時に火災検知信号を受信すると、袖扉２を収納姿勢に保持している電磁レリーズが解除され、オートヒンジのばね力により袖扉２が閉鎖方向へ回動する。袖扉２が回動して戸当り部１０に当接した時に、袖扉２が閉鎖姿勢まで回動したとして図示しない検知手段が検知し、シャッター装置の自動閉鎖装置がこの検知信号を受けて、シャッターカーテン１が、自重降下を開始する。図２（Ａ）に示す参照番号１１は、開口部の上方に設けたラッチであり、袖扉２が全閉位置まで回動して戸当り部１０に当接した時に、袖扉２の上面２２に形成された図示しないラッチ受けにラッチ１１が嵌ってロックするようになっている。
【００２２】
図４は、シャッターカーテン１の下端の座板部の構成を示す平面図及び正面図である。シャッターカーテン１を構成する複数枚のスラットの最下位のスラット１２には上座板１３Ａと下座板１３Ｂとからなる座板１３が設けてある。座板１３の長さ寸法は、スラット１２の長さ寸法よりも短い寸法を備えており、スラット１２の長さ方向両端は左右のガイド溝８、９内まで延出しているのに対して、座板の長さ方向両端はガイド溝８、９の外側に位置しており、ガイド溝８、９内には延出していない。最下位のスラット１２の長さ方向（開口幅方向）の両端部には振れ止め部材１４が設けてあり、振れ止め部材１４は、座板１３の長さ方向両端部の外側に位置するように下方に延出している。振れ止め部材１４は、スラット１２と略同じ厚さを備えており、振れ止め部材１４を左右のガイド溝８、９内に位置させることで、全閉時におけるシャッターカーテン１の下方部位の前後方向（シャッターカーテン１を横切る方向）の振れを抑制することができる。
【００２３】
シャッターカーテン１の幅方向の一側（ガイド溝８側）の振れ止め部材１４には、振れ止め部材１４の下面に対して出没自在の係止ロッド１５が設けてある。より具体的には、図８に示すように、振れ止め部材１４は、対向する第１面部１４０、第２面部１４１、底部１４２と、を備えた中空部材であり、振れ止め部材１４の中空部には、対向状の側片１６０、１６１と下片１６２とから断面視コ字形状を備えた係止ロッドの案内兼支持部材１６が装着されている。案内兼支持部材１６は、一方の側１６０片を第１面部１４０の内面に、他方の側片１６１を第２面部１４１の内面に、それぞれ固定してなる。案内兼支持部材１６の下片１６２及び振れ止め部材１４の底部１４２には、鉛直方向に位置合わせして係止ロッド１５の挿通孔１６３、１４３がそれぞれ形成されている。係止ロッド１５は、上下の挿通孔１４３、１６３を上下動可能に挿通されている。
【００２４】
係止ロッド１５の外面には、挿通孔１６３、１４３よりも大きな外形寸法を備えた係止片１５０、１５１が上下方向に間隔を存して設けてある。上下の係止片１５０、１５１間の間隔は、案内兼支持部材１６の下片１６２と振れ止め部材１４の底部１４２との間隔に対応している。通常時には、係止ロッド１５は自重によって振れ止め部材１４の底部１４２の挿通孔１４３から下方に突出した突出姿勢にある。
【００２５】
係止ロッド１５が突出姿勢にある時には、係止ロッド１５の外面に形成した係止片１５０、１５１がそれぞれ案内兼支持部材１６の下片１６２と振れ止め部材１４の底部１４２の上面に係止することで、振れ止め部材１４に対するそれ以上の下動が規制されており、一方、この状態において、係止ロッド１５の自重に打ち勝つ力が作用することで係止ロッド１５は振れ止め部材１４に対して上動可能である。したがって、突出姿勢にある係止ロッド１５に対して、係止ロッド１５の下端に上方向に向かう力が作用すると、係止ロッド１５は挿通孔１４３、１６３を介して上方に移動して、振れ止め部材１４の下面から突出しない退避姿勢となる。すなわち、図８のように係止ロッド１５が突出姿勢にある状態でシャッターカーテン１が降下して、係止ロッド１５の下端が着床すると、係止ロッド１５に上方向に向かう床反力が作用し、さらに、シャッターカーテン１が降下して座板１３（下座板１３Ｂ）が着床することで、係止ロッド１５は、振れ止め部材１４に対して相対的に上動して、振れ止め部材１４の下面から突出しない退避姿勢となる（図６（Ｂ）、図７（Ａ）参照）。
【００２６】
図６（Ｃ）に示すように、案内兼支持部材１６の下片１６２と振れ止め部材１４の底部１４２間にスプリング１５２を配置して、係止ロッド１５を弾性的に支持してもよい。この場合、スプリング１５２の力に打ち勝つ力が作用することで、係止ロッド１５は振れ止め部材１４に対して上動可能である。
【００２７】
開口部の所定部位、具体的には、シャッターカーテン１の幅方向の一側の降下経路の直下、全閉姿勢にある袖扉２のガイド溝８の下方に位置する部位には、シャッターカーテン１が降下して全閉状態となった時に、ガイド溝８内に位置するシャッターカーテン１の幅方向の一側の端部の下端面から下方に突出する係止ロッド１５を受け入れる受孔１７が形成されている（図５、図６参照）。受孔１７は、閉鎖姿勢にある袖扉２のガイド溝８の下方に位置する床面ＦＬに、受孔１７が形成された上面部１８０を備えた箱体１８を埋設することで配置されている。
【００２８】
図７、図９に示す態様では、受孔は、シャッターカーテン１を横切る方向に対向して配置した２つの長孔状の受孔１７Ａ、１７Ｂである。２つの受孔１７Ａ、１７Ｂは、シャッターカーテン１の幅方向に長い長孔であり、係止ロッド１５の降下位置を挟むようにして対向状に床面ＦＬに形成されている（図７（Ａ）参照）。受孔１７Ａ、１７Ｂは、閉鎖姿勢にある袖扉２のガイド溝８の下方に位置する床面ＦＬに、図９に示すように、受孔１７Ａ、１７Ｂが形成された上面部１８０を備えた箱体１８を埋設することで配置されている。
【００２９】
図６に示すように１つの受孔１７を備えた袖付き防火シャッターにおいて、火災検知信号を受けると、袖扉２が閉鎖方向へ回動し、袖扉２が閉鎖姿勢まで回動したことを検知して、シャッターカーテン１が自重降下を開始する。シャッターカーテン１は、シャッターカーテン１の幅方向の一側の端部の下面からは係止ロッド１５が突出した状態で下降して行き、開口部全閉時には、係止ロッド１５は、受孔１７内に突出してロック状態となる。もし、係止ロッド１５の降下位置と受孔１７の位置が一致しなかった場合には、係止ロッド１５の下端は、床面に当接し、シャッターカーテン１の下降に伴って、挿通孔１４３、１６３を介して振れ止め部材１４に対して相対的に上方に移動して行く。したがって、開口部全閉時には、シャッターカーテン１の下端の座板１３（下座板１３Ｂ）の下面が床面ＦＬに隙間無く着床することができる（図６（Ｂ）参照）。
【００３０】
図６に示すように２つの受孔１７Ａ、１７Ｂを備えた袖付き防火シャッターにおいて、火災検知信号を受けると、袖扉２が閉鎖方向へ回動し、袖扉２が閉鎖姿勢まで回動したことを検知して、シャッターカーテン１が自重降下を開始する。シャッターカーテン１は、シャッターカーテン１の幅方向の一側の端部の下面からは係止ロッド１５が突出した状態で下降して行き、係止ロッド１５は、２つの受孔１７Ａ、１７Ｂ間の床面に当接し、シャッターカーテン１の下降に伴って、挿通孔１４３、１６３を介して振れ止め部材１４に対して相対的に上方に移動して行く。したがって、開口部全閉時には、シャッターカーテン１の下端の座板１３（下座板１３Ｂ）の下面が床面ＦＬに隙間無く着床することができる（図７（Ａ）参照）。
【００３１】
図７（Ａ）の状態においてシャッターカーテン１にいずれかの方向から圧力が作用すると、例えば、図示の矢印の方向から圧力が作用すると、シャッターカーテン１の下端が矢印の方向（左側）に移動し、係止ロッド１５の下端が受孔１７Ａ上まで移動した時に、係止ロッド１５が自重によって下方に突出して受孔１７Ａに係止してロック状態となる。矢印と反対方向から圧力が作用した場合には、同様に、シャッターカーテン１の下端が右側に移動し、係止ロッド１５は受孔１７Ｂに係止する。
【００３２】
このように、通常時には、シャッターカーテン１の下端面、具体的には、振れ止め部材１４の下面から下方に突出した突出姿勢にあると共に、上方に向かう力が作用すると振れ止め部材１４の下面に対して相対的に上動してシャッターカーテン１の下端面、具体的には、振れ止め部材１４の下面、から突出しない退避姿勢となるように構成されている係止ロッドと、閉鎖姿勢にある袖扉２の戸先側のガイド溝８の下方の床面に設けた受孔１７とからロック機構を構成することで、シャッターカーテン１の全閉時に、係止ロッド１５が受孔１７、１７Ａ、１７Ｂに係止するしないにかかわらずに、座板１３（下座板１３Ｂ）の下面と床面ＦＬとの間に隙間が形成されることがなく、良好に防火区画を形成することができる。
【産業上の利用可能性】
【００３３】
本発明は、袖扉を備えた防火シャッターに用いることができる。
【図面の簡単な説明】
【００３４】
【図１】袖扉を備えたシャッターの全閉状態の概略正面図である。
【図２】（Ａ）は袖扉を備えたシャッターの袖扉部分、（Ｂ）はシャッター部分の縦断面図である。
【図３】袖扉の収納姿勢と閉鎖姿勢を示す平面図である。
【図４】シャッターカーテンの下方部位を示す平面図及び正面図である。係止ロッドは省略されている。
【図５】全閉状態において、袖扉の戸先側のガイド溝の下方部位を示す図である。
【図６】本発明に係る座板部の断面図であって、（Ａ）は突出姿勢にある係止ロッドが受孔に係止した状態、（Ｂ）は退避姿勢にある係止ロッドの下端が床面に当接している状態、（Ｃ）は、スプリングを備えた係止ロッドが受孔に係止した状態を、示している。
【図７】（Ａ）は、座板が着床した状態で、係止ロッドが床面に当接して退避姿勢にあり、その状態で矢印方向に圧力が作用した場合を示している。（Ｂ）は、左図の状態から圧力によって座板が移動し、係止ロッドが床面に形成した受孔内に突出して係止した状態を示している。
【図８】係止ロッドを備えた振れ止め部材を示す図である。
【図９】受孔が形成された箱体を示す図である。
【図１０】従来の防火シャッターにおいて、座板と床面との間に隙間が形成された状態を示す図である。
【符号の説明】
【００３５】
１  シャッターカーテン
２  袖扉
８  ガイド溝
１５  係止ロッド
１７  受孔
【図１】
2010048063.tif 000003
【図２】
2010048063.tif 000004
【図３】
2010048063.tif 000005
【図４】
2010048063.tif 000006
【図５】
2010048063.tif 000007
【図６】
2010048063.tif 000008
【図７】
2010048063.tif 000009
【図８】
2010048063.tif 000010
【図９】
2010048063.tif 000011
【図１０】
2010048063.tif 000012